(57)【要約】【課題】  回路基板から引き出されるハーネスを介することなくワンタッチで他の機器等に接続可能にする電装品に用いられるインサート端子を提供することを目的としている。【解決手段】  一端に、回路基板３のランド３ａで共締めし、ランド３ａとの接触で電気接続可能なランド接続部１１を有し、他端に雄又は雌端子と接続可能な電気接続部１２を有すると共に、少なくともランド接続部１１のランド接触面１１ａ及び電気接続部１２を露出して樹脂にインサートされることを特徴とするインサート用端子１０としている。【選択図】  図１
2005142096.tif 000002
【特許請求の範囲】
【請求項１】
一端に、回路基板のランドで共締めし、該ランドとの接触で電気接続可能なランド接続部を有し、他端に雄又は雌端子と接続可能な電気接続部を有すると共に、少なくとも前記ランド接続部の前記ランド接触面及び前記電気接続部を露出して樹脂にインサートされることを特徴とするインサート用端子。
【請求項２】
請求項１において、前記ランド接続部は、前記ランドと面接触可能な面積のランド接触面と取付ねじとの螺合を受ける孔を有していることを特徴とするインサート用端子。
【請求項３】
請求項２において、前記孔は、前記取付ねじの雌ねじ部あるいはタッピング形成部のいずれかを有することを特徴とするインサート用端子。
【請求項４】
請求項１乃至３のいずれか１項のインサート端子を少なくとも２個インサートして形成したことを特徴とするコネクタ一体型樹脂ケース。
【請求項５】
請求項４のコネクタ一体型樹脂ケースに回路基板を装着したことを特徴とする電装品。
【発明の詳細な説明】
【技術分野】
【０００１】
本発明は、多くの製品の回路基板を用いた電装品、これに用いられる端子や樹脂ケースに関するものである。
【背景技術】
【０００２】
従来、この種の電装品としては、図３に示すものがある。樹脂ケース１の支持脚２に回路基板３が取付ねじ４で装着され、回路基板３には所定の電子部品５が取り付けられたり、他の部品との接続のため、前記電子部品５あるいは回路基板３自身から外部に引き出されるハーネス６が設けられている。（例えば、特許文献１参照。）。
【特許文献１】特開２００３−２４３８５４号公報（第２図）
【発明の開示】
【発明が解決しようとする課題】
【０００３】
しかしながら、従来の回路基板３を装着する電装部品にあっては、他のものとの電気的接続をする場合には、回路基板３のパターンに、あるいはパターンに接続された電子部品５にハーネス６を半田付けして他端を電装品外に引き出し、図外のコネクタを用いて接続を行っていた。そのため、半田付け工程が必要で工数が掛かること、さらには半田付け不良の発生という問題が起こりうることが懸念された。
【０００４】
そこで、この発明は、上記問題に鑑みて、回路基板から引き出されるハーネスを介することなくワンタッチで他の機器等に接続可能にする電装品、さらには電装品に使用するインサート端子、インサート端子を備えた樹脂ケースを提供することを目的としている。
【課題を解決するための手段】
【０００５】
上記課題を解決するために、請求項１に係る発明は、一端に、回路基板のランドで共締めし、該ランドとの接触で電気接続可能なランド接続部を有し、他端に雄又は雌端子と接続可能な電気接続部を有すると共に、少なくとも前記ランド接続部の前記ランド接触面及び前記電気接続部を露出して樹脂にインサートされることを特徴とするインサート用端子としている。
【０００６】
また、請求項２の発明は、請求項１において、前記ランド接続部は、前記ランドと面接触可能な面積のランド接触面と取付ねじとの螺合を受ける孔を有していることを特徴とするインサート用端子としている。
【０００７】
また、請求項３の発明は、請求項２において、前記孔は、前記取付ねじの雌ねじ部あるいはタッピング形成部のいずれかを有することを特徴とするインサート用端子としている。
【０００８】
また、請求項４の発明は、請求項１乃至３のいずれか１項のインサート端子を少なくとも２個インサートして形成したことを特徴とするコネクタ一体型樹脂ケースとしている。
【０００９】
さらに、請求項５の発明は、請求項４のコネクタ一体型樹脂ケースに回路基板を装着したことを特徴とする電装品としている。
【発明の効果】
【００１０】
請求項１に係る発明によれば、ハーネスを用いることなく電装品の回路基板との電気的接続を確実に簡単に行えるインサート用端子を提供することが出来る。
【００１１】
また、請求項２に係る発明によれば、回路基板を装着するねじ止め時に電気接続も同時に終えることが可能なインサート用端子を提供することが出来る。
【００１２】
また、請求項３に係る発明によれば、通常の取付ねじかタッピング用取付ねじか用途に応じて選択できるインサート用端子を提供できる。
【００１３】
また、請求項４に係る発明によれば、請求項１乃至３の効用を有するコネクタ一体型樹脂ケースを提供することが出来る。
【００１４】
さらに、請求項５の発明によれば、半田付け作業を伴わずねじ止め作業だけで、装着と電気的接続をなしてしまう電装品を提供することが出来る。
【発明を実施するための最良の形態】
【００１５】
以下、この発明を実施例を示すインサート用端子、樹脂ケース及び電装品について、図面に基づいて説明する。従来と同一ないし均等な部位又は部材については同一符号を用いて重複した説明を省略する。
【００１６】
図１はコネクタ一体型電装品一例を示しており、コネクタ一体型樹脂ケース１にインサート用端子１０がインサートされ、回路基板３が取付ねじ４で支持脚２に支持あるいは装着された状態を示している。
【００１７】
このインサート用端子１０は、少なくとも２個、すなわち、少なくともそれぞれ１個のプラス極及びマイナス極を必要とし、図２には２個並べられた例を示しており、一端に、回路基板３のランド３ａで共締めし、このランド３ａとの接触で電気接続可能なランド接続部１１を有し、他端に図外の雄又は雌端子と接続可能な電気接続部１２を有した金属製で、例えば鉄で、プレス成形されて形成されている。
【００１８】
ランド接続部１１と電気接続部１２との間は、両者のそれぞれの取付関係で距離や向きや形状が決められる。ランド接続部１１は、上面に回路基板３のランドと面接触し電気接続が可能な面積を有した。ここではランド３ａと同径のランド接触面１１ａを有し、ランド接触面１１ａの中心位置に取付ねじ４との螺合を受ける孔１１ｂを有する膨出部１１ｃが形成されている。
【００１９】
この孔１１ｂには、取付ねじ４が通常のマシンねじの場合には雌ねじ部が形成され、タッピングねじの場合にはタッピング形成部のいずれかが形成され、対応したねじが使用される。
【００２０】
このようなインサート用端子１０を少なくとも２個、例えば図２に示すように並列に並べ、少なくともランド接続部１１のランド接触面１１ａ及び電気接続部１２を露出して樹脂にインサートされた図１に示すコネクタ一体型の樹脂ケース１がインサート成形されている。
【００２１】
図１には、このコネクタ一体型の樹脂ケース１に回路基板３を装着した電装品が示されている。この回路基板３は、上下両面の少なくとも１面にパターン３ｂが形成され、パターン３ｂの図外の電子部品等の接続部としてランド３ａが形成されている。この図で示すランド３ａは、取付ねじ４を貫通させる大きな貫通孔３ｃの内面と貫通孔３ｃの周囲の上下両面の所定大きさの径に導通部が形成されてパターン３ｂの一部を構成している。
【００２２】
したがって、ハーネスを用いることなく、半田付けもなく電装品の回路基板との電気的接続を確実に簡単に行え、また、回路基板を装着するねじ止め時に電気接続も同時に終えることが可能なインサート用端子を提供することが出来る。
【００２３】
さらに、通常の取付ねじかタッピング用取付ねじか用途に応じて選択できるインサート用端子を提供できる。
【００２４】
また、このようなインサート用端子を使用することによって、コネクタ一体型樹脂ケース及び半田付け作業を伴わずねじ止め作業だけで、装着と電気的接続をなしてしまう電装品を提供することが出来る。
【図面の簡単な説明】
【００２５】
【図１】本発明に係る電装品の断面図である。
【図２】本発明に係る電装品に使用されるインサート用端子を２本並列            した全体斜視図である。
【図３】従来の電装品の断面図である。
【符号の説明】
【００２６】
１    コネクタ一体型樹脂ケース
２    支持脚
３    回路基板
３ａ  ランド
３ｂ  パターン
３ｃ  貫通孔
１０  インサート用端子
１１  ランド接続部
１１ａ  ランド接触面
１１ｂ  孔
１ ２  電気接続部
【図１】
2005142096.tif 000003
【図２】
2005142096.tif 000004
【図３】
2005142096.tif 000005